(57)【特許請求の範囲】
【請求項１】
Ｌ字形状の軒先受具を側方に突出させて固定した上方支柱部材に少なくとも一本の中間支柱部材を連結するとともに、前記中間支柱部材に基台支柱部材を伸縮機構を介して連結して、前記上方支柱部材、中間支柱部材および基台支柱部材が直線状に延びる支柱を組み立て、
前記基台支柱部を下方に向けて前記支柱を起立させ、
この支柱を前記軒先受具が家屋の軒先に対向する位置決め状態に保持しながら、前記伸縮機構を伸長するよう操作して、前記軒先受具を軒先の軒端面と軒裏面に沿って下方から圧接させることにより、前記支柱を、前記基台支柱部材を載置した地面などの基盤面と軒先との間に突っ張らせて立設し、
前記支柱を複数本立設したのちに、それぞれ隣接する２本の前記支柱の各々の前記上方支柱部材間に、横桟を架け渡して固定することを特徴とする屋根上作業用防護柵の構築工法。
【発明の詳細な説明】
【０００１】
【発明の属する技術分野】
本発明は、家屋の屋根の葺き替えや雨漏りの修理などの作業を行うに際して、作業者が誤って転落や墜落するのを防止するための屋根上作業用防護柵の構築工法に関するものである。
【０００２】
【従来の技術】
家屋の新築時には必ず本足場が構築されるので、屋根上作業を安全に行うことができる。こに対し、屋根の葺き替えや雨漏りの修理などを行う場合には、屋根上作業者が命綱を付けたり、家屋の軒先に防護柵を直接打ち付けて取り付ることにより、作業者が屋根上から転落や墜落するのを防止している。或いは、急傾斜の屋根のリフォームなどに際しては、必要に応じて本足場を組み立てて、その本足場の軒上の支柱部分に防護枠を組み付けることも行われる。
【０００３】
【発明が解決しようとする課題】
しかしながら、命綱を付けた場合には、足場の不安定な屋根上での悪い作業条件の上に、命綱によって動作が拘束されて自由に作業できないので、作業性がさらに悪くなって作業能率の低下を来すことになる。一方、家屋の軒先に防護柵を直接取り付けると、家屋に釘孔があいたり、軒先の一部分が損傷や破損されることもあり、好ましくない。
【０００４】
また、本足場を組み立てる場合には、屋根上作業を行うためだけに新築時と同様の足場を組み立てることになり、部材コストや運搬費が比較的高くなるとともに組み立てに時間がかかるので、経費が高くつく。また、狭所地に本足場を組み立てる場合には、起重機が必要となり、さらに経費か高くつく。しかも、最も問題となるのは、軒先への防護柵の取り付け及び本足場の組み立ての何れの場合にも、先ず作業者が屋根に登って高所での作業を行わなければならないことである。
【０００５】
そこで、本発明は、安価な部材を用いて、地上での作業により容易に且つ迅速に組み立てることができ、家屋に何ら損傷を与えない屋根上作業用防護柵の構築工法を提供することを目的とする。
【０００６】
【課題を解決するための手段】
上記目的を達成するために、本発明に係る屋根上作業用防護柵の構築工法は、Ｌ字形状の軒先受具を側方に突出させて固定した上方支柱部材に少なくとも一本の中間支柱部材を連結するとともに、前記中間支柱部材に基台支柱部材を伸縮機構を介して連結して、前記上方支柱部材、中間支柱部材および基台支柱部材が直線状に延びる支柱を組み立て、前記基台支柱部を下方に向けて前記支柱を起立させ、この支柱を前記軒先受具が家屋の軒先に対向する位置決め状態に保持しながら、前記伸縮機構を伸長するよう操作して、前記軒先受具を軒先の軒端面と軒裏面に沿って下方から圧接させることにより、前記支柱を、前記基台支柱部材を載置した地面などの基盤面と軒先との間に突っ張らせて立設し、前記支柱を複数本立設したのちに、それぞれ隣接する２本の前記支柱の各々の前記上方支柱部材間に、横桟を架け渡して固定する手順で行う。
【０００７】
この発明によれば、上方支柱部材、中間支柱部材および基台支柱部材を直線状に連結して支柱を組み立てる作業、この組み立てた支柱の起立作業、および支柱の下部の基台支柱部材に設けた伸縮機構を伸長するよう操作して軒先受具を軒先の軒端面と軒裏面に沿って下方から圧接させる作業は、何れも地上において行える。すなわち、高所作業を一切要することなく、支柱を地面等の基盤面と軒先との間に突っ張らせて立設することができ、安全で簡単な作業により支柱を迅速に立設することができる。隣接する各２本の支柱間に横桟を架け渡す作業は、既に複数本の支柱が立設されているので、高所であっても支柱を持って作業できるので、安全を確保できる。
【０００８】
また、軒先受具を軒先に圧接するだけであるから、家屋に対しては変形などの損傷を与えることがない。さらに、支柱は、パイプなどからなる三種類の支柱部材を連結して組み立てるポールであるから、安価な材料コストで製作できる。しかも、支柱の組立および立設は、地上における極めて簡単な作業であるから、少人数の作業者であっても短時間で組み立てることができ、経費が安くつく。
【０００９】
上記発明において、パイプからなる中間支柱部材の下端側開口部に、外周面に雄ねじが形成された基台支柱部材の上部を出入自在に挿入して、前記雄ねじに螺合したナットを前記中間支柱部材の開口面に当接させることにより、前記中間支柱部材と前記基台支柱部材とを相互に伸縮自在に連結し、支柱を起立させたのちに、前記ナットを、これの周面から前記基台支柱部材に対し直交方向に突出した操作ハンドルを回転操作して上方向に螺進するよう回転させることにより、前記ナットにより前記中間支柱部材を押し上げる工法を採用するのが好ましい。
【００１０】
それにより、伸縮機構は、基台支柱部材の外周面に形成した雄ねじとこれに螺合したナットによってねじジャッキに構成されるから、操作ハンドルの回転操作によって雄ねじに対し上方に螺進するナットで中間支柱部材を押し上げる。操作ハンドルの回転操作による押し上げ速度は低いが、大きな押し上げ力を得られるので、支柱を基盤面と軒先との間に大きな突っ張り力で強固に固定することができる。軒先受具は、屋根上作業を行う家屋の軒先の高さに応じて上方支柱部材の所要部位に取り付けられるので、上記の押し上げ速度が低いことは支障にならない。
【００１１】
本発明に係る屋根上作業用防護柵の構築に用いる支柱として好適なものは、家屋に沿って立設されて、軒先の上方に延びる長さを有する支柱であって、所定箇所に支持部材が直交方向に突出して固定され、且つ前記支持部材の先端部にＬ字形状の軒先受具が回動可能に取り付けられた上方支柱部材と、前記上方支柱部材の下端部に挿入手段で連結された少なくとも一本の中間支柱部材と、地面などの基盤面に載置される基台板が下端に固定され、上端部分が前記中間支柱部材の下端部分に出入自在に連結された基台支柱部材と、前記基台支柱部材に取り付けられ、操作されて前記中間支柱部材を前記基台支柱部材に対し抜脱方向に移動させる伸縮機構とを備えている。
【００１２】
それにより、支柱は、上方支柱部材、中間支柱部材および基台支柱部材を互いに挿入する簡単な手段で連結することができる。また、軒先受具は、上方支柱部材に固定の支持部材に対し回動可能に取り付けられているから、軒先の形状の相違又はばらつきに対し圧接時に回動して吸収し、その軒先の軒端面と軒裏面とに確実に圧接する。さらに、基台支柱部材には、基盤面に載置するための基台板を備えているので、支柱を安定状態に立設することができる。
【００１３】
前記上方支柱部材には横桟を挿通させて固定する横桟保持具が固着されているとともに、前記上方支柱部材に取り付けられた軒先受具には、そのＬ字状の内面に弾力性と吸着性とを有する当接部材が固着されており、前記上方支柱部材または中間支柱部材に、棒状の補助部材の一端部が回動自在に連結され、基台支柱部材の基台板に固定用杭の挿通孔が形成されている構成とすることが好ましい。
【００１４】
それにより、Ｌ字状の軒先受具の内面に固着された当接部材が弾力性と吸着性とを有しているから、軒先受具は、軒先に対し損傷を与えないよう保護しながら強固に圧接し、安全性がさらに高まる。また、中間支柱部材に回動自在に連結された補助部材は、連結した支柱を起立させるに際して支柱を倒れないよう保持するのに用いることができるとともに、支柱の立設後に必要に応じて支柱の倒れ防止用の支え棒としても利用できる。さらに、基台支柱部材の基台板に設けられた挿通孔を介して固定用杭を基盤面に打ち込めば、立設した支柱をさらに強固に保持できる。また、横桟は、上方支柱部材に固着されている横桟保持具に挿通して固定できるから、容易に且つ迅速に上方支柱部材間に架け渡して取り付けることができる。
【００１５】
【発明の実施の形態】
以下、本発明の好ましい実施の形態について、図面を参照しながら詳述する。
【００１６】
図１乃至図６は本発明の一実施形態に係る屋根上作業用防護柵の構築工法を工程順に示したもので、それら工程について、以下に説明する。
【００１７】
図１および図２は支柱１の組立手順を示し、先ず、図１において、上方支柱部材２の所定部位に軒先受具３を取り付ける。上方支柱部材２は一般的なパイプからなり、複数個のねじ孔４が所定間隔で配設されている。軒先受具３は、家屋の軒先における軒端面と軒裏面とに沿って当接することのできるＬ字形状になっており、そのＬ字形状の内面には、弾力性と吸着性とを有する素材、例えばゴムからなる当接部材７が貼着されている。
【００１８】
この軒先受具３の外面にはコ字形状の連結部材８が溶接により固着されている。一方、上方支柱部材２を挿通させることのできる径を有するパイプからなる取付部材９には、支持部材１０が取付部材９に対し直交方向に突出した配置で溶接により固着されている。連結部材８は支持部材１０に外嵌され、ボルト１１とこれに螺合したナット１２とにより支持部材１０の先端部に取り付けられているが、ナット１２は完全に締め付けられておらず、適度な挟持力を与えるように構成されている。すなわち、軒先受具３は連結部材８を介してボルト１１を支点に回動可能かつ所定角度位置で停止可能に取り付けられている。また、取付部材９には、その所定部位に固定ねじ１３が螺着されている。
【００１９】
したがって、取付部材９に上方支柱部材２を挿通させるとともに、固定ねじ１３を上方支柱部材２の所要のねじ孔４を合致させてねじ込むことにより、軒先受具３を上方支柱部材２の所要部位に取り付ける。ここで、ねじ孔４の選択は、屋根上作業すべき家屋の軒先の高さに応じて適宜選択される。
【００２０】
続いて、図２に示すようにして支柱１を組み立てる。すなわち、中間支柱部材１１には、棒状の補助部材１７をそれのクランプ金具１８に中間支柱部材１６を挿通させて固定ねじ１８を締め付けることによって取り付けたのちに、この中間支柱部材１６における立設時に上端となる開口に嵌め込み固定した連結軸部２０を上方支柱部材２の下端開口に挿入することによって、上方支柱部材２に中間支柱部材１６を連結する。なお、中間支柱部材１６は家屋の高さなどに応じて２本連結する場合もあるが、この実施形態では１本のみを使用する場合を例示してある。
【００２１】
さらに、パイプの外周面に雄ねじ２２が形成されてなる基台支柱部材２０の上端部を中間支柱部材１６の下端開口に出入り自在に挿入するとともに、雄ねじ２０に螺着したナット２３を中間支柱部材１６の下端開口面に当接させると、上方支柱部材２、中間支柱部材１６および基台支柱部材２１が直線状に連結された支柱１が出来上がる。この支柱１の組立時には、ナット２３を基台支柱部材２３の下端寄りに位置させて、所要長さよりも短めの支柱１に組み立てておく。上述の支柱１の組立作業は、地上における支柱１を立設すべき場所で行える。また、この支柱１は、三種の支柱部材２，１６，２１に分解して扱われるので、組立場所が狭所地であっても容易に運搬して、簡単に組み立てられる利点がある。
【００２２】
また、基台支柱部材２１の下端には円板または矩形板からなる基台板２４が溶接などにより固着されており、この基台板２４には、後述の固定用杭の挿通孔２８が複数個穿設されている。上記ナット２３には２本の操作ハンドル２７が基台支柱部材２１に対し直交方向に突出する配置で固着されている。雄ねじ２２、ナット２３および中間支柱部材９は、中間支柱部材１６と基台支柱部材２１とを相対的に伸縮させる伸縮機構２９を構成している。
【００２３】
上記のように組み立てた支柱１は、図３に示すようにして起立させる。この支柱１は何れもパイプからなる三種の支柱部材２，１６，２１を連結しただけのものであるから、起重機などを用いることなく二人の作業者で簡単に建て起こしできる。すなわち、基台板２４を足で押さえて基台支柱部材２１を支える作業者（図示せず）と、支柱１の上方部部分を持って押し上げる作業者ＷＨとで十分である。ここで、一方の作業者ＷＨは、図示のように補助部材１７を持って支柱１を倒れないように保持しながら押し上げることにより、支柱１を容易に、且つ極めて短時間で安全に起立させることができる。なお、図３には、支柱１を１点鎖線で示すように家屋Ｈに対し直交方向に配して地上に載置した状態から２点鎖線で示すように家屋Ｈに向かって起こしていき、実線で示すように起立させる状態を示している。これは図示の便宜上からのことで、実際には、家屋に平行に載置した支柱１を家屋の壁面に沿って建て起こすのが好ましい。
【００２４】
支柱１を起立させたならば、一方の作業者によって支柱１を図３に図示するように軒先受具３を軒先Ａに向けた状態に保持し、他方の作業者ＷＨが伸縮機構２９の操作ハンドル２７を回してナット２３を雄ねじ２２に対して上方に螺進させる。このナット２３が中間支柱部材１６を押し上げていくので、図４に示すように、Ｌ字形の軒先受具３が軒先Ａの軒端面と軒裏面とに沿うように圧接される。
【００２５】
ここで、軒先受具３は地上において軒先Ａに合致する状態に位置決めするのが困難であるが、ナット１２を完全に締め付けていないので、軒先受具３は軒先Ａに押し付けられていくのに伴ってボルト１１を支点に回動して、軒先Ａに対応する向きに自動的に変位される。
【００２６】
また、雄ねじ２２、ナット２３および中間支柱部材１６からなる伸縮機構２９は、ねじジャッキに構成されており、ねじジャッキは、ラックジャッキなどと比較して、押し上げ速度は低いが、大荷重を持ち上げることができ、安価である利点がある。すなわち、伸縮機構２９により大きな押し上げ力を得られるので、支柱１は、これが立設される地面などの基盤面Ｂと軒先Ａとの間に発生する大きな突っ張り力で強固に固定される。しかも、Ｌ字状の軒受具３の内面には弾力性と吸着性とを有した当接部材７が貼着されているので、軒先受具３は、軒先Ａに対して強固に圧接されて安全性がさらに高まるとともに、軒先Ａを変形などの損傷を与えないように保護できる。また、軒先受具Ａは、屋根上作業を行う家屋Ｈの軒先Ａの高さに応じて上方支柱部材２の所要のねじ孔４を選択して取り付けるので、上記の押し上げ速度が低いことは作業時間が長くなることにならない。
【００２７】
なお、図４では、便宜上、支柱１を鉛直に立設した場合を示しているが、実際には、支柱１を家屋Ｈに向けて若干傾斜した状態に立設するのが好ましい。支柱１の立設が終了したならば、固定用杭３０を、図３に矢印で示しているように、基台板２４の挿通孔２８を通じて基盤面Ｂに打ち込んで、基台板２４を基盤面Ｂに固定する。なお、必要に応じて、図３に２点鎖線で示した補強手段を用いることができる。すなわち、補助部材１７を、これにクランプ部材３１を連結し、且つこのクランプ部材３１に挿通させた固定用杭３０を基盤面Ｂに打ち込むことにより、支柱１の倒れ防止用の支え棒として利用してもよい。さらに、上方支柱部材２にロープ締め金具３２を取り付けるとともに、家屋Ｈの壁面に一端を固定した支持ロープ３３をロープ締め金具３２に通して引っ張ることにより、支柱１を家屋Ｈ側に引っ張って倒れ防止してもよい。
【００２８】
上述と同様の工法によって、図６に示すように、所要本数の支柱１を立設する。この所要本数の支柱１を立設するまでの上述の工程は、全て地上における安全で簡単な作業により迅速に行える。次に、図４および図６に示すように、隣接する各２本の支柱１における屋根上の箇所、つまり上方支柱部材２間に横桟３４を架け渡して固定する。この横桟３４の取り付けは、屋根に登って行うのであるが、既に複数本の支柱１が立設されているから、高所であっても支柱１を持って作業できるので、安全を確保できる。しかも、横桟３４は、図５に示すような横桟保持具３７を用いることによって簡単に、且つ迅速に取り付けできる。なお図示を省略しているが、上方支柱部材２と横桟３４を利用して安全用の網を張設すると好適である。
【００２９】
上記横桟保持具３７は、支柱用クランプ部３８と横桟用クランプ部３９とがスタッドボルト４０により互いに回動自在に連結されている。両クランプ部３８，３９は、それぞれ二つ割りされたクランプ片３８ａ，３８ｂ、３９ａ，３９ｂが兆番部４１により回動自在に連結されており、各々の一方のクランプ片３８ａ，３９ａには、ナット４３が螺着されたボルト４２が貫通して取り付けられているとともに、各々の他方のクランプ片３８ｂ，３９ｂには、ボルト４２を挿入させる切欠き４４が形成されている。
【００３０】
したがって、先ず、支柱用クランプ部３８の開放状態としたクランプ片３８ａ，３８ｂを閉じて上方支柱部材２に巻き付け、そのときに切欠き４４にボル４２が挿入するので、そのままナット４３を締め付けることにより、支柱用クランプ部３８を上方支柱部材２に固定する。つぎに、横桟用クランプ部３９をスタッドボルト４０により所定の向きに調節したのちに、一方のクランプ片に横桟３４を当てがっった状態で他方のクランプ片３９ｂを閉じることによって、横桟３４に巻き付け、そのままナット４３を締め付ければ、横桟３４を横桟保持具３７を介して簡単に上方支柱部材２に固定できる。
【００３１】
なお、上記実施形態では、支柱１の伸縮機構２９としてねじジャッキを用いた場合を例示したが、その他の歯車や油圧を利用したジャッキ構成としてもよく、また、中間支柱部材の下端部分の内周面に雌ねじを形成し、雌ねじに螺合する雄ねじが形成された基台支柱部材が基台板に対し回転自在に連結された構成とすることもできる。
【００３２】
【発明の効果】
以上のように本発明の屋根上作業用防護柵の構築工法によれば、三種の支柱部材による支柱の組立作業、支柱の起立作業、および軒先受具を軒先に圧接させる作業の全てを地上において行えるので、従来の危険な高所作業を解消することができ、支柱を安全で簡単な作業により迅速に立設することができる。また、軒先受具を軒先に圧接するだけであるから、家屋に対しては何ら損傷を与えない。さらに、支柱は、三種類の支柱部材を連結して組み立てるので、安価な材料コストで製作できるとともに、支柱の組立および立設は、少人数の作業者で短時間て組み立てることができるから、経費を大幅に低減できる。
【００３３】
また、ねじジャッキからなる伸縮機構の操作により支柱を伸長して軒先受具を軒先に圧接するようにすれば、支柱を基盤面と軒先との間に大きな突っ張り力で強固に固定することができる。
【００３４】
本発明の屋根上作業用防護柵の構築に用いる支柱として上述のものを用いれば、上方支柱部材、中間支柱部材および基台支柱部材を互いに挿入する簡単な手段で迅速に連結でき、軒先受具は、軒先の形状の相違又はばらつきに応じて回動することにより、軒先の軒端面と軒裏面とに確実に圧接させることができる。さらに、基盤面に載置するための基台板を備えているので、支柱を一層安定に立設することができる。
【００３５】
また、Ｌ字状の軒先受具の内面に弾力性と吸着性とを有する当接部材を設ければ、軒先受具を軒先に対し損傷を与えないよう保護しながら強固に圧接することができ、安全性がさらに高まる。また、中間支柱部材に回動自在に連結された補助部材を備えれば、支柱を起立させるに際して支柱を倒れないよう保持できる。
【００３６】
さらに、基台支柱部材の基台板に挿通孔を設ければ、固定用杭を基盤面に打ち込んで基台板を確実に固定てきるから、支柱をより一層安定に立設できる。また、横桟保持具を設ければ、横桟の取り付けを容易に、且つ迅速に行える。
【図面の簡単な説明】
【図１】本発明の一実施形態に係る屋根上作業用防護柵の構築工法における上方支柱部材に軒先受具を取り付ける工程の斜視図。
【図２】同上の構築工法における支柱の組立工程を示す側面図。
【図３】同上の構築工法における支柱の起立工程を示す側面図。
【図４】同上の構築工法における支柱の立設構成を示す側面図。
【図５】同上の構築工法における横桟の取付工程を示す斜視図。
【図６】同上の構築工法により構築された屋根上作業用防護柵を示す正面図。
【符号の説明】
１  支柱
２  上方支柱部材
３  軒先受具
７  当接部材
１０  支持部材
１６  中間支柱部材
１７  補助部材
２１  基台支柱部材
２２  雄ねじ
２３  ナット
２４  基台板
２９  伸縮機構
３０  固定用杭
３４  横桟
３７  横桟保持具
【図１】
0003549325.tif 000002
【図２】
0003549325.tif 000003
【図３】
0003549325.tif 000004
【図４】
0003549325.tif 000005
【図５】
0003549325.tif 000006
【図６】
0003549325.tif 000007